(57)【要約】【課題】簡単かつ迅速に取り付け取り外しができ、風に煽られる恐れがなく、しかも、たるみを生じることなく安定して日除けシートを張装することができる日除けシートの張装方法および日除けシート用織編物シートを提供する。【解決手段】日除けシートは、紫外線カット機能とストレッチ機能を有する織編物シートの少なくとも角部を外方に引張して、取付支柱や取付棒材等の固定部分にストレッチ状態で張装される。【選択図】        図１
2006002379.tif 000002
【特許請求の範囲】
【請求項１】
紫外線カット機能とストレッチ機能を有する織編物シートの少なくとも角部を外方に引張して、取付支柱や取付棒材等の固定部分にストレッチ状態で張装することを特徴とする日除けシートの張装方法。
【請求項２】
上記織編物シートの縁部に沿った複数の箇所を、交互に上下位置で外方に引張することを特徴とする請求項１に記載の日除けシートの張装方法。
【請求項３】
上記織編物シートの角部や縁部にハトメを設けて、該ハトメを上記固定部分に取り付けた掛止め具に掛け止めるようにしたことを特徴とする請求項１または２に記載の日除けシートの張装方法。
【請求項４】
上記掛止め具が、Ｕ字状の金属バネ板と、該金属バネ板の一方に取り付けられると共に、半球状頭部を有する掛け首材と、前記金属バネ板の他方に穿設されると共に、掛け首材を挿入して掛止するダルマ形掛穴から構成されることを特徴とする請求項３に記載の日除けシートの張装方法。
【請求項５】
紫外線カット機能とストレッチ機能を有することを特徴とする日除けシート用織編物シート。
【請求項６】
伸縮性の高い縁取テープにより縁取りされることを特徴とする請求項５に記載の日除けシート用織編物シート。
【発明の詳細な説明】
【技術分野】
【０００１】
本発明は、特にプールなどの屋外施設の上方に、紫外線カットなどの日除け用のシートを張装するための方法、すなわち日除けシートの張装方法および日除けシート用織編物シートに関するものである。
【背景技術】
【０００２】
従来、プールなどの屋外施設の日除けシートとして、紫外線等をカットするシートに複数本の芯材を平行に組み込むと共に、該芯材に吊りローラを取り付け、施設上に張設されたワイヤーに前記吊りローラを係止させて、シートを張装するように構成したものがあった。（例えば、特許文献１参照）
【０００３】
しかし、上記従来の日除けシートは、芯材および吊りローラを介してシートをワイヤーに張装させているため、シートが風に煽られ易く、吊りローラをワイヤーに沿って移動させてシートを折り畳み、シートを不使用状態にせざるを得ないという問題点があった。
また、日除けシートの取り付け取り外しが困難であるため、必要な場所に又、必要な時に簡単に張装したり、容易にクリーニングできない等の問題点もあった。
【特許文献１】特開２００３−３３６３６５号公報
【発明の開示】
【発明が解決しようとする課題】
【０００４】
本発明が解決しようとする課題は、簡単かつ迅速に取り付け取り外しができ、風に煽られる恐れがなく、しかも、たるみを生じることなく安定して日除けシートを張装することができる日除けシートの張装方法および日除けシート用織編物シートを提供することにある。
【課題を解決するための手段】
【０００５】
本発明の日除けシートの張装方法は、紫外線カット機能とストレッチ機能を有する織編物シートの少なくとも角部を外方に引張して、取付支柱や取付棒材等の固定部分にストレッチ状態で張装することを特徴とする。また、上記織編物シートの縁部に沿った複数の箇所を、交互に上下位置で外方に引張することを特徴とする。さらに、上記織編物シートの角部や縁部にハトメを設けて、該ハトメを上記固定部分に取り付けた掛止め具に掛け止めるようにしたことを特徴とする。又更に、上記掛止め具が、Ｕ字状の金属バネ板と、該金属バネ板の一方に取り付けられると共に、半球状頭部を有する掛け首材と、前記金属バネ板の他方に穿設されると共に、掛け首材を挿入して掛止するダルマ形掛穴から構成されることを特徴とする。
また、本発明の日除けシート用織編物シートは、紫外線カット機能とストレッチ機能を有することを特徴とする。さらに、伸縮性の高い縁取テープにより縁取りされることを特徴とする。
【発明の効果】
【０００６】
本発明の日除けシートの張装方法および日除けシート用織編物シートは、簡単かつ迅速に取り付け取り外しができて、クリーニングが容易であり、また、風に煽られる恐れがなく安定して日除けシートを張装することができるという利点がある。
【発明を実施するための最良の形態】
【０００７】
図１ないし図３は、本発明の張装方法および日除けシート用織編物シートを説明する図であって、１は日除けシート、２は取付支柱、３は取付棒材、４は駆動ワイヤーである。なお、Ｐはプールである。
【０００８】
上記日除けシート１は、上記プールＰを覆うように左右に４枚ずつ（１枚の大きさは、例えば、８．０ｍ  ×  ９．５ｍ）張設されるようになっている。該日除けシート１の素材は、紫外線カット機能およびストレッチ機能を有する織編物である。
【０００９】
紫外線カット機能を有する織編物としては、太陽光を部分的に遮るよう所望の開口率（例えば、５０〜８５％）に織編成された織編物が好適である。なお、織編物に後加工で紫外線吸収剤を施してもよい。
【００１０】
また、ストレッチ機能を有する織編物としては、伸縮性のある繊維で目ずれのないように織成された織物あるいは、トリコット編地などの編物であれば、従来公知の織編物のいずれでもよい。なお、前記織編物の縁取りとして、この織編物より伸度が大きい縁取テープを使用することにより、たるみが生じることなく、張装することができる。
【００１１】
上記取付支柱２は、例えば３．５ｍの高さを有する高支柱２ａと、例えば２．０ｍの高さを有する低支柱２ｂから成り、これらの高支柱２ａと低支柱２ｂは、プールＰの両サイドに沿って交互に建て込まれている。該高支柱２ａの上端部には、上記日除けシート１の外端縁の両角部１ａおよび中間部１ｂが取り付けられている。また、これらの角部１ａと中間部１ｂの再中間部１ｃは、上記低支柱２ｂの上端部に取り付けられている。これらの取付は相互に引っ張り状態で取り付けられており、図示のように、シート端縁が弓形状に反ったストレッチ状態となる。一方、上記取付棒材３には、上記日除けシート１の内端縁が取り付けられている。
【００１２】
図４は、上記日除けシート１の掛止め具４の構成およびそれによる張装方法を説明するもので、掛止め具４は、Ｕ字状の金属バネ板４ａと、該金属バネ板４ａの一方に取り付けられると共に、半球状頭部４ｂ′を有する掛け首材４ｂと、前記金属バネ板４ａの他方に穿設されると共に、掛け首材４ｂを挿入して掛止するダルマ形掛穴４ａ′から構成されている。
【００１３】
上記掛止め具４は、上記取付支柱２や取付棒材３に取り付けられている。また、上記日除けシート１の縁部や角部には、ハトメ１ａが取り付けられている。そして、日除けシート１の張装に際しては、図４に仮想線で示すように、上記ダルマ形掛穴４ａ′を掛け首材４ｂから外した状態で、上記掛け首材４ｂに日除けシート１のハトメＨを掛けて、再び、ダルマ形掛穴４ａ′に掛け首材４ｂを差し込んで、取付けを完了する。
本掛止め具４によれば、ストレッチ機能を有する日除けシート１の縁部や角部を単に引っ張るだけで、極めて簡単に取付支柱２や取付棒材３に取り付けることができる。
【００１４】
上記実施例では、日除けシートの端縁や角部を取付支柱や棒材に取り付けて、外方に引っ張るように張装したが、本発明はこれらの取付手段に限定するものではなく、日除けを必要とする屋外施設に応じて、建物などの既存構造物や自動車などの移動体を利用して、これらの固定物に取り付けるようにしてもよい。また、本発明の掛止め具は、上記実施例に限定するものではなく、日除けシート１の縁部や角部を引っ張って、ワンタッチで取付支柱２や取付棒材３取り付け取り外しできる構成であればいずれでもよい。
【図面の簡単な説明】
【００１５】
【図１】本発明の日除けシートの張装方法の一実施例を説明する平面図である。
【図２】図１の矢視Ａから見た側面図である。
【図３】図１のイ−イ線断面図である。
【図４】日除けシートの掛止め具の構成およびそれによる張装方法の説明図である。
【符号の説明】
【００１６】
１    日除けシート
１ａ  角部
１ｂ  中間部
１ｃ  再中間部
２    取付支柱
２ａ  高支柱
２ｂ  低支柱
３    取付棒材
４    掛止め具
４ａ  金属バネ板
４ａ′ダルマ形掛穴
４ｂ  掛け首材
４ｂ′半球状頭部
Ｈ    ハトメ
Ｐ    プール
【図１】
2006002379.tif 000003
【図２】
2006002379.tif 000004
【図３】
2006002379.tif 000005
【図４】
2006002379.tif 000006